(57)【要約】【課題】  本考案は、包装された商品全体が見通せ、且つ高級感を損なわない包装用フィルムを提供することを可能にすることを目的としている。【解決手段】  透明な第１のフィルム２の両端側に、該第１のフィルム２の幅寸法の１/４に対応する幅寸法を有すると共に該第１のフィルム２との接着面側に加飾印刷４が施された第２のフィルム３が透明な接着層５を介して接着され、第１のフィルム２の両端側同士を接着して該第１のフィルム２を第２のフィルム３が積層された境界線８で折り返した状態で第２のフィルム３に施された加飾印刷４が第１のフィルム２を透過して視認できる構成であることを特徴とする。【選択図】      図３
0003125374.tif 000002
【実用新案登録請求の範囲】
【請求項１】
透明な第１のフィルムの両端側に、該第１のフィルムの幅寸法の１/４に対応する幅寸法を有すると共に該第１のフィルムとの接着面側に加飾印刷が施された第２のフィルムが透明な接着層を介して接着され、
前記第１のフィルムの両端側同士を接着して該第１のフィルムを前記第２のフィルムが積層された境界線で折り返した状態で前記第２のフィルムに施された加飾印刷が前記第１のフィルムを透過して視認できることを特徴とする包装用フィルム。
【請求項２】
前記第２のフィルムの前記第１のフィルムに接着される側と反対側面に透過防止層が設けられ、該透過防止層の表面に商品情報が記録されたことを特徴とする請求項１に記載の包装用フィルム。
【請求項３】
前記第２のフィルムは所定の腰の強さを有して商品トレイを兼ねることを特徴とする請求項１または請求項２に記載の包装用フィルム。
【考案の詳細な説明】
【技術分野】
【０００１】
本考案は、菓子、パン等の食品を食品メーカーで自動包装する場合に使用することが出来る包装用フィルムに関するものである。
【背景技術】
【０００２】
従来、菓子、パン、魚の練り製品等の食品を包装する包装袋は、所定の寸法に切断した透明フィルムの左右側縁部を接着すると共に、下端開口部を接着して袋状に形成し、かつこのような形成した袋の中に菓子、パン等の食品を包装し、上端開口部を封止していた。
【０００３】
また、このような袋に使用される透明フィルムには、予め商品名、メーカー名、その他のデザイン等の印刷をしておき、包装袋を製造した際には、所望の位置に商品名、メーカー名、その他のデザイン等の印刷が表示されるようにしていた。
【０００４】
しかし、前述の包装袋は、商品名、メーカー名、その他のデザイン等の印刷を包装袋の表面全体に施すと、包装袋の中に包装した食品等が見えにくくなる等の問題があった。
【０００５】
このような問題を解決するために、特許文献１、２には袋の中央部或いは片側半分に透明窓部を設けたものが提案されている。
【０００６】
【特許文献１】特許第２６３７６３４号公報
【特許文献２】実用新案登録第２５５６８４４号公報
【考案の開示】
【考案が解決しようとする課題】
【０００７】
しかしながら、前述の従来例では、商品名やデザイン等の印刷を少なくして中身が見え易いようにすると高級感が損なわれるため透明窓部から包装袋内の商品の一部だけが視認できる構成とされ、商品全体が見通せるものではなかった。
【０００８】
本考案は前記課題を解決するものであり、その目的とするところは、包装された商品全体が見通せ、且つ高級感を損なわない包装用フィルムを提供せんとするものである。
【課題を解決するための手段】
【０００９】
前記目的を達成するための本考案に係る包装用フィルムの第１の構成は、透明な第１のフィルムの両端側に、該第１のフィルムの幅寸法の１/４に対応する幅寸法を有すると共に該第１のフィルムとの接着面側に加飾印刷が施された第２のフィルムが透明な接着層を介して接着され、前記第１のフィルムの両端側同士を接着して該第１のフィルムを前記第２のフィルムが積層された境界線で折り返した状態で前記第２のフィルムに施された加飾印刷が前記第１のフィルムを透過して視認できることを特徴とする。
【００１０】
また、本考案の第２の構成は、前記第１の構成において、前記第２のフィルムの前記第１のフィルムに接着される側と反対側面に透過防止層が設けられ、該透過防止層の表面に商品情報が記録されたことを特徴とする。
【００１１】
また、本考案の第３の構成は、前記第１、第２の構成において、前記第２のフィルムは所定の腰の強さを有して商品トレイを兼ねることを特徴とする。
【考案の効果】
【００１２】
本考案の第１の構成によれば、第１のフィルムの両端側同士を接着して該第１のフィルムを第２のフィルムが積層された境界線で折り返した状態で該第２のフィルムに施された加飾印刷が透明な接着層及び第１のフィルムを透過して視認でき、高級感を維持すると共に包装された商品全体を見通すことが出来る。
【００１３】
また、本考案の第２の構成によれば、第２のフィルムの前記第１のフィルムに接着される側と反対側面に設けられた透過防止層により該透過防止層の表面に記録された商品情報が透過して第２のフィルムに施された加飾印刷に裏写りすることがなく、加飾印刷の品質を維持することが出来る。
【００１４】
また、本考案の第３の構成によれば、所定の腰の強さを有する第２のフィルムにより商品トレイを兼ねることができるので、別途、商品トレイを同封する必要がなく、商品トレイの材料コストが低減でき、包装工程の簡略化が図れる。
【考案を実施するための最良の形態】
【００１５】
図により本考案に係る包装用フィルムの一実施形態を具体的に説明する。図１（ａ）は本考案に係る包装用フィルムを第２フィルム側から見た平面図、図１（ｂ）は図１（ａ）のＡ−Ａ断面図、図２は本考案に係る包装用フィルムを透明な第１フィルム側から見た平面図、図３（ａ）は第１のフィルムの両端側同士を接着して該第１のフィルムを第２のフィルムが積層された境界線で折り返した状態で第２フィルム側から見た平面説明図、図３（ｂ）は第１のフィルムの両端側同士を接着して該第１のフィルムを第２のフィルムが積層された境界線で折り返した状態で透明な第１フィルム側から見た平面説明図、図４（ａ）は図３（ｂ）のＢ−Ｂ断面図、図４（ｂ）は本考案に係る包装用フィルムにより商品が包装された様子を示す斜視説明図である。
【００１６】
図１〜図４において、１は包装用フィルムであり、透明な第１のフィルム２の両端側に、該第１のフィルム２の幅寸法（図１の左右方向における幅寸法）の略１/４に対応する幅寸法を有すると共に該第１のフィルム２との接着面側（図１（ｂ）の下方側）に加飾印刷４が施された第２のフィルム３が透明な接着層５を介して接着される。
【００１７】
透明な第１のフィルム２は、ポリエチレン、ポリプロピレン等の透明合成樹脂フィルム、セロハン等が有効に使用出来る。また、第２のフィルム３は、レーヨン（登録商標）、洋紙、和紙、不織布或は不透明な合成樹脂フィルム等が使用可能である。第２のフィルム３は所定の腰の強さを有して構成することで商品トレイを兼ねることが出来る。
【００１８】
透明な接着層５は、ポリウレタン系接着剤を使用することが出来る。このポリウレタン系接着剤は、ＯＨ基を持った主剤とＮＣＯ基（イソシアネート基）を持った硬化剤を混合する２液反応タイプを使用することが出来る。また、ＮＣＯ基を持った１液タイプを使用することも出来る。ポリウレタン系接着剤は、接着性に優れ、ボイル、レトルト適性、耐熱性、耐寒性、耐薬品性、耐油性にも優れ、プラスチックフィルム、金属箔など適用範囲が広く、柔軟性があり、さらに常温硬化性等を有する。
【００１９】
本実施形態では２液反応タイプのポリウレタン系接着剤を使用しており、イソシアネートは活性水素と速やかに反応する。この反応は、Ｈ２Ｏと水酸基（−ＯＨ）の反応である。このように主剤と硬化剤が反応して、ウレタン結合を形成し硬化する。
【００２０】
第２のフィルム３の第１のフィルム２に接着される側と反対側（図１（ｂ）の上方側）面には、例えば白インキを印刷することにより透過防止層６が設けられ、該透過防止層６の表面（図１（ｂ）の上方側面）に、商品10の名称、原材料名、内容量、保存方法、製造者、栄養成分表示等の商品情報７が印刷により記録される。
【００２１】
このような包装用フィルム１において、図３及び図４（ａ）に示すように、第１のフィルム２の両端側同士の接着代９を接着して該第１のフィルム２を第２のフィルム３が積層された境界線８で折り返した状態で、図３（ｂ）及び図４（ｂ）に示すように、該第２のフィルム３に施された加飾印刷４が透明な第１のフィルム２及び接着層５を透過して視認することが出来る。
【００２２】
図４（ｂ）に示すように、包装用フィルム１の内部に、例えばパン等の商品10が収容され、筒状の包装用フィルム１の両端開口部が熱溶着により溶着される。包装用フィルム１により包装された商品10は透明な第１のフィルム２を介して全体を見通すことが出来、更に、商品10の背面で第２のフィルム３に施された加飾印刷４が透明な第１のフィルム２及び接着層５を透過して視認することが出来る。尚、11は第１のフィルム２の外側表面にやや小さく印刷された商品名や値段等の商品情報である。
【００２３】
上記構成によれば、第１のフィルム２の両端側同士を接着して該第１のフィルム２を第２のフィルム３が積層された境界線８で折り返した状態で該第２のフィルム３に施された加飾印刷４が透明な接着層５及び第１のフィルム２を透過して視認でき、高級感を維持すると共に包装された商品10全体を見通すことが出来る。
【００２４】
また、第２のフィルム３の第１のフィルム２に接着される側と反対側面に設けられた透過防止層６により該透過防止層６の表面に記録された商品情報７が透過して第２のフィルム３に施された加飾印刷４に裏写りすることがなく、加飾印刷４の品質を維持することが出来る。
【００２５】
また、所定の腰の強さを有する第２のフィルム３により商品トレイを兼ねることができるので、別途、商品トレイを同封する必要がなく、商品トレイの材料コストが低減でき、包装工程の簡略化が図れる。
【産業上の利用可能性】
【００２６】
本考案の活用例として、菓子、パン等の食品を食品メーカーで自動包装する場合に使用することが出来る包装用フィルムに適用することが出来る。
【図面の簡単な説明】
【００２７】
【図１】（ａ）は本考案に係る包装用フィルムを第２フィルム側から見た平面図、（ｂ）は（ａ）のＡ−Ａ断面図である。
【図２】本考案に係る包装用フィルムを透明な第１フィルム側から見た平面図である。
【図３】（ａ）は第１のフィルムの両端側同士を接着して該第１のフィルムを第２のフィルムが積層された境界線で折り返した状態で第２フィルム側から見た平面説明図、（ｂ）は第１のフィルムの両端側同士を接着して該第１のフィルムを第２のフィルムが積層された境界線で折り返した状態で透明な第１フィルム側から見た平面説明図である。
【図４】（ａ）は図３（ｂ）のＢ−Ｂ断面図、（ｂ）は本考案に係る包装用フィルムにより商品が包装された様子を示す斜視説明図である。
【符号の説明】
【００２８】
１…包装用フィルム
２…第１のフィルム
３…第２のフィルム
４…加飾印刷
５…接着層
６…透過防止層
７…商品情報
８…境界線
９…接着代
10…商品
11…商品情報
【図１】
0003125374.tif 000003
【図２】
0003125374.tif 000004
【図３】
0003125374.tif 000005
【図４】
0003125374.tif 000006